(57)【要約】【課題】特定小電力無線システムに適用できる安価なクロック補正回路、移動体端末、基地局装置及びクロック補正方法を提供することができない。【解決手段】チャネルに応じた周波数データを格納しチャネル選択信号により指定されるチャネルに応じた周波数データを出力する周波数データ格納回路と、周辺温度に応じて定められた周波数補正値と周波数データを用いて演算を行うことにより周波数設定値を算出する周波数補正回路と、クロック信号に基づいて第１の周波数を発生する電圧制御発振器と、第１の周波数と周波数設定値とを用いて演算を行うことにより所望の第２の周波数を生成するＰＬＬとを備える。【選択図】  図２
2007243586.tif 000002
【特許請求の範囲】
【請求項１】
チャネルに応じた周波数データを格納し、チャネル選択信号により指定されるチャネルに応じた周波数データを出力する周波数データ格納回路と、
周辺温度に応じて定められた周波数補正値と前記周波数データを用いて演算を行うことにより、周波数設定値を算出する周波数補正回路と、
クロック信号に基づいて第１の周波数を発生する電圧制御発振器と、
前記第１の周波数と前記周波数設定値とを用いて演算を行うことにより、所望の第２の周波数を生成するＰＬＬとを備えたことを特徴とするクロック補正回路。
【請求項２】
前記クロック信号を生成する基準クロック発生器と、
温度に応じた周波数補正値を格納し、検出した周囲温度に対して前記周波数補正値を出力する制御回路とを備えたことを特徴とする請求項１記載の移動体端末。
【請求項３】
前記クロック信号を生成する基準クロック発生器と、
温度に応じた周波数補正値を格納し、検出した周囲温度に対して前記周波数補正値を出力する制御回路とを備えたことを特徴とする請求項１記載の基地局装置。
【請求項４】
周辺温度に応じて定められた周波数補正値を入力し、
格納している複数の周波数データの中から、使用するチャネルに応じた周波数データを生成し、
前記周波数データと前記周波数補正値とを用いて演算して周波数設定値を生成し、
入力したクロック信号に基づいて第１の周波数を生成し、
前記第１の周波数と前記周波数設定値とを用いて演算して所望の第２の周波数を生成することを特徴とするクロック補正方法。
【発明の詳細な説明】
【技術分野】
【０００１】
この発明は、無線通信システムに関し、特に、動作クロックを補正するためのクロック補正回路、移動体端末、基地局装置及びクロック補正方法に関する。
【背景技術】
【０００２】
無線通信システムにおいて用いられる送受信機は、温度依存がほとんどなく、中心周波数も規格に一致するように構成された、高価な基準クロック発生器を用いていた。特許文献１では、高価な基準発振器を用いる必要のないディジタル変調回路を開示している。
【特許文献１】特開平５−１０２９５５
【発明の開示】
【発明が解決しようとする課題】
【０００３】
ここで、特許文献１は、周波数補正データを格納する記憶回路を有し、電圧制御発振器を制御することにより、周波数の経時変化を抑制している。特許文献１は、自動車電話のような高周波と低周波の２種類のクロックを有し、長時間連続して通話されるシステムを前提としている。そして、特許文献１は、データ受信時、高調波のクロックの精度を維持した状態で、低周波のクロックの周波数ずれを検出し、補正をしている。つまり、特許文献１は、高周波のクロックの周波数ずれを補正していない。よって、特許文献１は、特定小電力無線システムのように、通信時間が比較的短く、基地局同士のデータ転送レートの周波数ずれの許容範囲が大きいときに適用することができないという問題点を有する。
そこで、本発明は、データレートが低く、１度のデータ転送に要するデータ量が比較的小さい、特定小電力無線システムに適用できる安価なクロック補正回路、移動体端末、基地局装置及びクロック補正方法を提供することを目的とする。
【課題を解決するための手段】
【０００４】
本発明の一つのクロック補正回路は、チャネルに応じた周波数データを格納しチャネル選択信号により指定されるチャネルに応じた周波数データを出力する周波数データ格納回路と、周辺温度に応じて定められた周波数補正値と周波数データを用いて演算を行うことにより周波数設定値を算出する周波数補正回路と、クロック信号に基づいて第１の周波数を発生する電圧制御発振器と、第１の周波数と周波数設定値とを用いて演算を行うことにより所望の第２の周波数を生成するＰＬＬとを備えた。
【０００５】
また、本発明の一つのクロック補正方法は、周辺温度に応じて定められた周波数補正値を入力し、格納している複数の周波数データの中から使用するチャネルに応じた周波数データを生成し、周波数データと周波数補正値とを用いて演算して周波数設定値を生成し、入力したクロック信号に基づいて第１の周波数を生成し、第１の周波数と周波数設定値とを用いて演算して所望の第２の周波数を生成することを行う。
【発明の効果】
【０００６】
本発明によれば、データレートが低く、１度のデータ転送に要するデータ量が比較的小さい、特定小電力無線システムに適用できる安価なクロック補正回路、移動体端末、基地局装置及びクロック補正方法を提供することが可能になる。
【発明を実施するための最良の形態】
【０００７】
初めに、無線通信システムの概要について説明する。図１は、無線通信システムの概要を示す図である。無線通信システムは、基地局１と、複数の端末２〜７により構成される。そして、基地局１から端末２〜７へ、または端末２〜７から基地局１へデータを無線で伝達している。
以下、図面を用いて、本発明を各実施例ごとに説明する。
【実施例１】
【０００８】
初めに、図面を用いて、実施例１における本発明の各構成要素及びその動作を説明する。図２は、無線通信システムで用いられる基地局及び端末の構成を示すブロック図である。基地局及び端末は、アンテナ２００と、送受信回路２１０と、制御回路２２０と、サーミスタ２３０と、基準クロック発生器２４０とを備える。
送受信回路２１０は、受信信号を復調し、送信信号を変調する。制御回路２２０は、送受信回路２１０を制御する。サーミスタ２３０は、周辺温度を測定し、測定結果を制御回路２２０へ出力する。基準クロック発生器２４０は、送受信回路２１０が動作するために必要なクロック信号を供給する。
【０００９】
初めに、図面を用いて、送受信回路２１０について説明する。図３は、本発明で用いられる送受信回路２１０の構成を示すブロック図である。送受信回路２１０は、ＲＦ回路２１１と、復調回路２１２と、変調回路２１３と、データ送受信回路２１４と、ＲＦ制御回路２１５と、ホストインターフェース２１６とを備える。
【００１０】
ＲＦ回路２１１は、送信時、変調回路２１３からアナログ変調された送信データ２１３ａを受け取り、高調波に変換し、アンテナ２００へ出力する。一方、ＲＦ回路２１１は、受信時、高調波の受信データを受け取り、低周波へと変換して、受信データ２１１ａとして復調回路２１２に出力する。図４は、ＲＦ回路２１１の構成を示すブロック図である。ＲＦ回路２１１は、スイッチ４００と、受信回路４１０と、シンセサイザ４２０と、送信回路４３０とを備える。スイッチ４００は、受信時にはアンテナ２００と受信回路４１０とを電気的に接続し、送信時にはアンテナ２００と送信回路４３０とを電気的に接続する。受信回路４１０は、受信時に、アンテナ２００から受信データを受信し、低周波へ変換して、受信データ２１１ａを生成する。シンセサイザ４２０は、電圧制御発振器（ＶＣＯ）４２１とＦｒａｃｔｉｏｎａｌ−Ｎ型ＰＬＬ（以下、ＰＬＬ）４２２とを備える。ＶＣＯ４２１は、基準クロック発生器２４０から出力された基準クロック２４０ａを入力し、周波数を生成する。ＰＬＬ４２２は、ＰＬＬイネーブル信号２１５ａに応じて、周波数設定値２１５ｂとを用いて下記の式の演算を行い、高調波クロック４２０ａ、４２０ｂを生成する。
【数１】
2007243586.tif 000003
ここで、Frfは高調波クロック４２０ａ、４２０ｂ、Fsetは周波数設定値２１５ｂ、Fdivは基準クロック分周値、Forgは基準クロック２４０ａを示す。なお、基準クロック分周値は、固定値であり、適用するシステムよりことなる。例えば、Fdiv＝２17、Frog＝１９．２（ＭＨｚ）のとき、数式（１）は、Frf=Fset×146.484（Ｈｚ）になり、所望の１５０Ｈｚを得ることができる。送信回路４３０は、送信時に、変調回路２１３から送信データ２１３ａを受信し、高調波に変換して、アンテナ２００から送信される送信データを生成する。以下、ＲＦ回路２１１の各構成要素の動作を送信時と受信時に分けて説明する。
【００１１】
（１）  送信時
シンセサイザ４２０のＶＣＯ４２１は、基準クロック２４０ａにもとづいて、信号を生成する。シンセサイザ４２０のＰＬＬ４２２は、イネーブル状態を示すＰＬＬイネーブル信号２１５ａを入力すると、ＶＣＯ４２１で生成された信号を、周波数設定値２１５ｂに応じて、送信に必要な周波数である高調波クロック４２０ａに変換する。ここで、基準クロック２４０ａで生成された信号は、温度により変化したものであり、無線システムの規格を満足していないものである。高調波クロック４２０ａは、周波数設定値２１５ｂ用いて修正され、規格を満たすものとなっている。送信回路４３０は、イネーブル状態を示す送信イネーブル信号２１５ｃを入力すると、高調波クロック４２０ａに基づいて、変調回路２１３から出力された送信データ２１３ａを高調波の送信データ４３０ａに変換する。そして、スイッチ４００は、イネーブル状態を示すＰＬＬイネーブル信号２１５ａと送信イネーブル信号２１５ｃとに基づいて、アンテナ２００と送信回路４３０とを電気的に接続する。よって、高調波の送信データ４３０ａは、アンテナ２００を介して、出力される。
【００１２】
（２）受信時
シンセサイザ４２０のＶＣＯ４２１は、基準クロック２４０ａにもとづいて、信号を生成する。シンセサイザ４２０のＰＬＬ４２２は、イネーブル状態を示すＰＬＬイネーブル信号２１５ａを入力すると、ＶＣＯ４２１で生成された信号を、周波数設定値２１５ｂに応じて、送信に必要な周波数である高調波クロック４２０ｂに変換する。ここで、基準クロック２４０ａで生成された信号は、温度により変化したものであり、無線システムの規格を満足していないものである。高調波クロック４２０ｂは、周波数設定値２１５ｂ用いて修正され、規格を満たすものとなっている。スイッチ４００は、イネーブル状態を示すＰＬＬイネーブル信号２１５ａと受信イネーブル信号２１５ｄとに基づいて、アンテナ２００と受信回路４１０とを電気的に接続する。よって、アンテナ２００を介して、高調波の受信データを入力する。受信回路４１０は、イネーブル状態を示す受信イネーブル信号２１５ｄを入力すると、アンテナ２００で受信された高調波の受信データを低調波の信号に変換し、受信データ信号２１１ａを生成する。受信回路４１０は、受信データ信号２１１ａを復調回路２１２に出力する。
【００１３】
復調回路２１２は、受信時、ＲＦ回路２１１から入力したアナログ形式の受信データ２１１ａをデジタル形式のデータに変換する。
変調回路２１３は、送信時、データ送受信回路２１４から入力したデジタル形式の送信データをアナログ形式の送信データ２１３ａに変換する。
データ送受信回路２１４は、送信時、制御回路２２０から入力した送信データを変換回路２１３に転送し、受信時、復調回路２１２から入力した受信データを制御回路２２０へ転送する。
【００１４】
ＲＦ制御回路２１５は、ＲＦ回路２１１を制御する回路であり、周波数設定値２１５ｂ、ＰＬＬイネーブル信号２１５ａ、受信イネーブル信号２１５ｄ及び送信イネーブル信号２１５ｃを生成する。図５は、ＲＦ制御回路２１５の構成を示すブロック図である。ＲＦ制御回路２１５は、周波数設定値２１５ｂを生成するチャネルデコーダ５００と、ＰＬＬイネーブル信号２１５ａと送信イネーブル信号２１５ｃと受信イネーブル信号２１５ｄとを生成する送受信切替回路５１０とを備える。チャネルデコーダ５００は、受信周波数設定値格納回路５０１と送信周波数設定値格納回路５０２とセレクタ５０３と周波数補正回路５０４とを備える。受信周波数設定値格納回路５０１は、受信時のチャネル毎の周波数設定値を格納する。受信周波数設定値格納回路５０１は、格納している複数の周波数設定値の中から、チャネル選択信号２１６ａにより指定されたチャネルに対応する周波数設定値５０１ａを出力する。送信周波数設定値格納回路５０２は、送信時のチャネル毎の周波数設定値を格納する。送信周波数設定値格納回路５０２は、格納している複数の周波数設定値の中から、チャネル選択信号２１６ａにより指定されたチャネルに対応する周波数設定値５０２ａを出力する。セレクタ５０３は、送受信切替信号２１６ｂに応じて、受信周波数設定値格納回路５０１から出力された周波数設定値５０１ａ若しくは送信周波数設定値格納回路５０２から出力された周波数設定値５０２ａのいずれか一方を選択して出力する。周波数補正回路５０４は、周波数補正情報２１６ｃとセレクタ５０３により選択された周波数設定値との加算若しくは減算を行い、周波数設定値２１５ｂを出力する。送受信切替回路５１０は、入力した送受信切替信号２１６ｂに応じて、ＰＬＬイネーブル信号２１５ａと信イネーブル信号２１５ｃと受信イネーブル信号２１５ｄとを生成する。
【００１５】
ここで、図を用いて、ＲＦ制御回路２１５の動作について説明をする。図６は、チャネルデコーダ５００の動作を示すタイミングチャートである。図７は、送受信切替回路５１０の動作を示すタイミングチャートである。
【００１６】
初めに、図６を用いて、チャネルデコーダ５００の動作について説明する。動作を分かりやすく説明するため、送受信切替信号２１６ｂが“送受信ＯＦＦ”、“受信ＯＮ”、“送信ＯＮ”、“送受信ＯＦＦ”の順番で動作するものと仮定する。送受信切替信号２１６ｂが送受信ＯＦＦの状態を示すとき、周波数設定値２１５ｂはなんらケアされない。次に、送受信切替信号２１６ｂが受信ＯＮ状態を示し、チャネル選択信号２１６ａがチャネル１を示し、周波数補正情報２１６ｃが＋αを示すとき、チャネルデコーダ５００は、受信周波数設定値格納回路５０１のチャネル１に格納されている周波数設定値Ａと周波数補正情報＋αとの和Ａ＋αを示す周波数設定値２１５ｂを出力する。次に、送受信切替信号２１６ｂが受信ＯＮ状態を示し、チャネル選択信号２１６ａがチャネル２を示し、周波数補正情報２１６ｃが＋αを示すとき、チャネルデコーダ５００は、受信周波数設定値格納回路５０１のチャネル２に格納されている周波数設定値Ｂと周波数補正情報＋αとの和Ｂ＋αを示す周波数設定値２１５ｂを出力する。次に、送受信切替信号２１６ｂが送信ＯＮ状態を示し、チャネル選択信号２１６ａがチャネル２を示し、周波数補正情報２１６ｃが−βを示すとき、チャネルデコーダ５００は、送信周波数設定値格納回路５０２のチャネル２に格納されている周波数設定値Ｂと周波数補正情報−βとの差分Ｂ−βを示す周波数設定値２１５ｂを出力する。次に、送受信切替信号２１６ｂが送信ＯＮ状態を示し、チャネル選択信号２１６ａがチャネル３を示し、周波数補正情報２１６ｃが−βを示すとき、チャネルデコーダ５００は、送信周波数設定値格納回路５０２のチャネル３に格納されている周波数設定値Ｃと周波数補正情報−βとの差分Ｃ−βを示す周波数設定値２１５ｂを出力する。
【００１７】
次に、図７を用いて、送受信切替回路５１０の動作について説明する。動作を分かりやすく説明するため、送受信切替信号２１６ｂが“送受信ＯＦＦ”、“受信ＯＮ”、“送信ＯＮ”、“送受信ＯＦＦ”の順番で動作すると仮定する。ＰＬＬイネーブル信号２１５ａは、送受信切替信号２１６ｂが“送受信ＯＦＦ状態”から“受信ＯＮ状態”に遷移すると、イネーブル状態（ここでは、電圧レベルがＨレベル、以下同じ）に遷移する。ＰＬＬイネーブル信号２１５ａは、送受信切替信号２１６ｂが“送受信ＯＦＦ状態”に遷移するまで、イネーブル状態を維持する。受信イネーブル信号２１５ｄは、送受信切替信号２１６ｂが“受信ＯＮ状態”に遷移すると、イネーブル状態に遷移する。ここで、受信イネーブル信号２１５ｄは、送受信切替信号２１６ｂが“受信ＯＮ状態”から“送信ＯＮ状態”に遷移すると、ディスセーブル状態（ここでは、電圧レベルがＬレベル、以下同じ）に遷移する。言い換えると、受信イネーブル信号２１５ｄは、送受信切替信号２１６ｂが“受信ＯＮ状態”であることに同期して、イネーブル状態となる。送信イネーブル信号２１５ｃは、送受信切替信号２１６ｂが“送信ＯＮ状態”に遷移すると、イネーブル状態に遷移する。ここで、送信イネーブル信号２１５ｃは、送受信切替信号２１６ｂが“送信ＯＮ状態”から“送受信ＯＦＦ状態”に遷移すると、ディスセーブル状態に遷移する。言い換えると、送信イネーブル信号２１５ｃは、送受信切替信号２１６ｂが“送信ＯＮ状態”であることに同期して、イネーブル状態となる。
【００１８】
ホストインターフェース２１６は、制御回路２２０と送受信回路２１０との送受信データ以外の命令形のデータの送受信及び命令の保持を行う。ホストインターフェース２１６は、制御回路２２０から送信命令、受信命令、ＲＦチャネル設定命令等を受けると、ＲＦ制御回路２１５へ転送する。
【００１９】
次に、図面を用いて、制御回路２２０について説明する。図８は、制御回路２２０の構成を示すブロック図である。図９は、温度と補正値の関係を示す表である。ここで、制御回路２２０は、アドレス生成回路８００と温度補正値記憶回路８１０とを備える。アドレス生成回路８００は、サーミスタ２３０により検出された周囲温度を示す情報を入力すると、その情報に対応するアドレスを生成し、温度補正値記憶回路８１０へ出力する。温度補正値記憶回路８１０は、図９に示すように、温度変化に対する補正値をテーブル形式で格納している。温度と補正値は１対１に対応して記憶されている。例えば、測定温度が２０℃のときの補正値は−４５であり、１２０℃のときの補正値は＋４５である。なお、この補正値は、仕様により異なるものであり、表に記載されたものがすべての補正を示すものではない。温度補正値記憶回路８１０は、アドレス生成回路８００から出力されたアドレスを入力すると、複数の格納された補正値の中から、そのアドレスに対応する補正値を周波数補正情報２１６ｃとして出力する。
【００２０】
次に、サーミスタ２３０について説明する。サーミスタ２３０は、温度変化に対して電気抵抗の変化の大きい抵抗体である。仕様によって異なるが、−５０℃から３５０℃ぐらいまでの温度を測定することができる。サーミスタ２３０は、基地局若しくは端末の周辺温度を測定し、測定結果を制御回路２２０へ出力する。
【００２１】
次に、基準クロック発生器２４０について説明する。本発明の基準クロック発生器２４０は、温度変動に依存しない高価なクロック発生器ではなく、温度変化に依存する安価なクロック発生器である。基準クロック発生器２４０は、周辺温度の変動の影響を受けた基準クロックを生成し、送受信回路２１０に供給する。
【００２２】
次に、図面を用いて、実施例１における本発明の全体の動作を説明する。図１０は、温度と周波数との関係を示すグラフであり、実線は補正前の信号であり、破線は補正後の信号である。基準クロック発生器２４０は、温度変化により変動する基準クロック２４０ａを送受信回路２１０と制御回路２２０とに供給している。サーミスタ２３０は、周辺温度を測定し、測定結果２３０ａを制御回路２２０に出力する。制御回路２２０は、測定結果２３０ａを入力すると、それに応じたアドレスを生成し、そのアドレスに応じた周波数補正情報２１６ｃを出力する。送受信回路２１０は、その周波数補正情報２１６ｃと格納している周波数設定値との加算若しくは減算を行い、周波数設定値２１５ｂを生成する。送受信回路２１０は、クロック信号２４０ａに基づいて生成された信号（図１０の実線）の周波数を周波数設定値２１５ｂで補正し、規格に合致した周波数を有する信号（図１０の破線）を生成する。
【００２３】
以上説明したように、実施例１の本発明によれば、安価なクロック発生器を用いても、高価なクロック発生器を用いて生成された信号と同じような規格に合致した信号を生成することができる。よって、実施例１の発明によれば、システム若しくは装置全体としてコスト削減ができ、安価なシステム及び装置等を提供することができる。
【００２４】
また、実施例１の本発明によれば、各ユーザーは、従来クロック発生器の性能として固定されていた温度に対する周波数補正情報を自由に設定することができる。よって、実施例１の本発明によれば、各ユーザー毎に異なるニーズに対応できるシステム若しくは装置を提供することができる。
【００２５】
また、実施例１の本発明によれば、各ユーザーが温度に対する周波数補正情報を自由に設定することができることにより、実際の使用環境を考慮して設定することができる。よって、実施例１の本発明によれば、安定したシステム若しくは装置を提供することができる。
【実施例２】
【００２６】
以下、図面を用いて、実施例２における本発明を説明する。なお、実施例１の本発明と同じ構成及び動作については、説明を割愛する。図１１は、実施例２の本発明のＲＦ制御回路１１００の構成を示すブロック図である。ＲＦ制御回路１１００は、シンセサイザ４２０のＰＬＬ４２２に入力される周波数設定値１１００ａを生成するチャネルデコーダ１１１０と、送受信切替回路５１０とを備える。
【００２７】
チャネルデコーダ１１００は、受信周波数設定値格納回路５０１と送信周波数設定値格納回路５０２とセレクタ５０３と周波数補正回路１１１１、１１１２とを備える。周波数補正回路１１１１は、周波数補正情報２１６ｃとセレクタ５０３により選択された周波数設定値との加算若しくは減算を行い、周波数設定値１１１１ａを出力する。周波数補正回路１１１１は、周波数設定値１１１１ａと中心周波数補正情報１３００ａとの加算若しくは減算を行い、周波数設定値１１００ａを出力する。
【００２８】
ここで、図面を用いて、チャネルデコーダ１１１０の動作について説明をする。図１２は、チャネルデコーダ１１００の動作を示すタイミングチャートである。動作を分かりやすく説明するため、送受信切替信号２１６ｂが“送受信ＯＦＦ”、“受信ＯＮ”、“送信ＯＮ”、“送受信ＯＦＦ”の順番で動作するものと仮定する。送受信切替信号２１６ｂが送受信ＯＦＦの状態を示すとき、周波数設定値２１５ｂはなんらケアされない。次に、送受信切替信号２１６ｂが受信ＯＮ状態を示し、チャネル選択信号２１６ａがチャネル１を示し、周波数補正情報２１６ｃが＋αを示し、中心周波数補正情報１３００ａが＋γを示すとき、チャネルデコーダ１１１０は、受信周波数設定値格納回路５０１のチャネル１に格納されている周波数設定値Ａと周波数補正情報＋αと中心周波数補正情報＋γの和Ａ＋α＋γを示す周波数設定値１１００ａを出力する。次に、送受信切替信号２１６ｂが受信ＯＮ状態を示し、チャネル選択信号２１６ａがチャネル２を示し、周波数補正情報２１６ｃが＋αを示し、中心周波数補正情報１３００ａが＋γを示すとき、チャネルデコーダ１１００は、受信周波数設定値格納回路５０１のチャネル２に格納されている周波数設定値Ｂと周波数補正情報＋αと中心周波数補正情報＋γの和Ｂ＋α＋γを示す周波数設定値１１００ａを出力する。次に、送受信切替信号２１６ｂが送信ＯＮ状態を示し、チャネル選択信号２１６ａがチャネル２を示し、周波数補正情報２１６ｃが−βを示し、中心周波数補正情報１３００ａが＋γを示すとき、チャネルデコーダ１１００は、送信周波数設定値格納回路５０２のチャネル２に格納されている周波数設定値Ｂと周波数補正情報−βと中心周波数補正情報＋γの演算結果Ｂ−β＋γを示す周波数設定値１１００ａを出力する。次に、送受信切替信号２１６ｂが送信ＯＮ状態を示し、チャネル選択信号２１６ａがチャネル３を示し、周波数補正情報２１６ｃが−βを示し、中心周波数補正情報１３００ａが＋γを示すとき、チャネルデコーダ１１００は、送信周波数設定値格納回路５０２のチャネル３に格納されている周波数設定値Ｃと周波数補正情報−βと中心周波数補正情報＋γの演算結果Ｃ−β＋γを示す周波数設定値２１５ｂを出力する。
【００２９】
次に、図面を用いて、制御回路１３００について説明する。図１３は、制御回路１３００の構成を示すブロック図である。図１４は、周波数ずれと補正値の関係を示す表である。ここで、制御回路１３００は、アドレス生成回路８００と温度補正値記憶回路８１０と中心周波数補正値記憶回路１３１０とを備える。中心周波数補正値記憶回路１３１０は、図１４に示すように、周波数ずれに対する補正値をテーブル形式で格納している。周波数ずれと補正値は１対１に対応して記憶されている。例えば、周波数ずれが＋１５０Ｈｚのときの補正値は−１であり、−３８２５０Ｈｚのときの補正値は＋２５５である。なお、この補正値は、仕様により異なるものであり、表に記載されたものがすべての補正を示すものではない。中心周波数補正値記憶回路１３１０は、中心周波数のずれ情報を入力すると、複数の格納された補正値の中から、そのずれに対応する補正値を中心周波数補正情報１３００ａとして出力する。
【００３０】
次に、図面を用いて、実施例２における本発明の全体の動作を説明する。図１５は、温度と周波数との関係を示すグラフであり、実線は補正前の信号であり、破線は補正後の信号である。基準クロック発生器２４０は、温度変化により変動する基準クロック２４０ａを送受信回路２１０と制御回路１３００とに供給している。サーミスタ２３０は、周辺温度を測定し、測定結果２３０ａを制御回路１３００に出力する。制御回路１３００は、測定結果２３０ａを入力すると、それに応じたアドレスを生成し、そのアドレスに応じた周波数補正情報２１６ｃを出力する。また、制御回路１３００は、中心周波数のずれ情報を入力すると、複数の格納された補正値の中から、そのずれに対応する補正値を中心周波数補正情報１３００ａとして出力する。送受信回路２１０は、その周波数補正情報２１６ｃと格納している周波数設定値と中心周波数補正情報１３００ａとの加算若しくは減算を行い、周波数設定値１１００ａを生成する。送受信回路２１０は、クロック信号２４０ａに基づいて生成された信号（図１５の実線）の周波数を周波数設定値１１００ａで補正し、規格に合致した周波数を有する信号（図１５の破線）を生成する。
【００３１】
以上説明したように、実施例２の本発明によれば、実施例１の効果を奏する。
加えて、実施例２の本発明によれば、中心周波数のずれを補正できることにより、たとえ高価な基準クロック発生器を用いたとしても製造において生じた周波数ずれも補正することができる。
【００３２】
また、実施例２の本発明によれば、中心周波数のずれを補正できることにより、フィールド試験実施後に、周波数ずれを自由に補正することができる。
【図面の簡単な説明】
【００３３】
【図１】本発明の無線通信システムの概要を示す図である。
【図２】本発明の基地局及び端末の構成を示すブロック図である。
【図３】本発明の送受信回路の構成を示すブロック図である。
【図４】本発明のＲＦ回路の構成を示すブロック図である。
【図５】実施例１の本発明のＲＦ制御回路の構成を示すブロック図である。
【図６】実施例１の本発明のチャネルデコーダの動作を示すタイミングチャートである。
【図７】実施例１の本発明の送受信切替回路の動作を示すタイミングチャートである。
【図８】実施例１の本発明の制御回路の構成を示すブロック図である。
【図９】実施例１の本発明の温度と補正値の関係を示す表である。
【図１０】実施例１の本発明の温度と周波数との関係を示すグラフである。
【図１１】実施例２の本発明のＲＦ制御回路の構成を示すブロック図である。
【図１２】実施例２の本発明のチャネルデコーダの動作を示すタイミングチャートである。
【図１３】実施例２の本発明の制御回路の構成を示すブロック図である。
【図１４】実施例２の本発明の周波数ずれと補正値の関係を示す表である。
【図１５】実施例２の本発明の温度と周波数との関係を示すグラフである。
【符号の説明】
【００３４】
５０１  受信周波数設定値格納回路
５０２  送信周波数設定値格納回路
５０３  セレクタ
５０４、１１１１、１１１２  周波数補正回路
８００  アドレス生成回路
８１０  温度補正値記憶回路
１３１０  中心周波数補正値記憶回路
【図１】
2007243586.tif 000004
【図２】
2007243586.tif 000005
【図３】
2007243586.tif 000006
【図４】
2007243586.tif 000007
【図５】
2007243586.tif 000008
【図６】
2007243586.tif 000009
【図７】
2007243586.tif 000010
【図８】
2007243586.tif 000011
【図９】
2007243586.tif 000012
【図１０】
2007243586.tif 000013
【図１１】
2007243586.tif 000014
【図１２】
2007243586.tif 000015
【図１３】
2007243586.tif 000016
【図１４】
2007243586.tif 000017
【図１５】
2007243586.tif 000018